(57)【特許請求の範囲】
【請求項１】
複数の住戸にそれぞれ設置されて前記住戸の火災監視を行う複数の住戸制御機と、前記住戸制御機と通信を行って前記複数の住戸の火災監視を行う監視装置とを備え、前記複数の住戸制御機および前記監視装置が渡り配線にて接続されている住戸監視システムであって、
前記複数の住戸制御機はそれぞれ、火災報知器より入力される火災検知信号に基づいて火災の発生を検知する火災発生検知部と、
前記火災検知部により前記火災の発生が検知された場合、前記火災が発生した住戸の住戸制御機に対して前記渡り配線において前記監視装置が接続されている方向を上流方向、その逆方向を下流方向として、火災発生場所を特定するための情報を含む火災発生情報を、前記渡り配線にて上流方向に接続されている他の住戸制御機を順次介して前記監視装置に送信する火災発生情報送信部と、
前記監視装置との間における通信障害の発生を検知する通信障害検知部と、
前記通信障害検知部により前記通信障害の発生が検知された場合に、前記渡り配線にて接続されている隣の住戸制御機との間の配線を切断する配線切断部とを備え、
前記火災発生情報により特定される前記火災発生場所の住戸制御機よりも上流方向に接続されている一の住戸制御機の前記配線切断部が、前記渡り配線にて接続されている隣の住戸制御機との間の配線を切断することを特徴とする住戸監視システム。
【請求項２】
請求項１に記載の住戸監視システムにおいて、
前記監視装置は、前記火災発生情報送信部により送信された前記火災発生情報を前記他の住戸制御機を順次介して受信する火災発生情報受信部と、
前記火災発生情報受信部により受信された前記火災発生情報と前記複数の住戸制御機の渡り配線における接続関係を示す接続関係テーブルとに基づいて、前記火災発生情報により特定される前記火災発生場所の住戸制御機よりも上流方向に接続されている一の住戸制御機に、前記火災発生場所の住戸制御機との配線を切断する必要性を示す切断情報を生成して送信する切断情報送信部とを備え、
前記住戸制御機は、前記切断情報送信部から送信された前記切断情報を受信する切断情報受信部と、
前記切断情報受信部により受信された前記切断情報を切断情報記憶部に記憶する記憶制御部とを更に備え、
前記通信障害検知部により前記通信障害の発生が検知された場合、前記切断情報記憶部に前記切断情報が記憶されている住戸制御機の前記配線切断部が、前記渡り配線にて接続されている隣の住戸制御機との間の配線を切断することを特徴とする住戸監視システム。
【請求項３】
請求項１に記載の住戸監視システムにおいて、
前記住戸制御機は、前記火災発生情報送信部により送信された前記火災発生情報を受信する火災発生情報受信部と、
前記火災発生場所の住戸制御機との配線を切断する必要性を示す切断情報を生成する切断情報生成部と、
前記切断情報生成部により生成された前記切断情報を切断情報記憶部に記憶する記憶制御部とを更に備え、
前記火災発生情報受信部により受信された前記火災発生情報と前記複数の住戸制御機の渡り配線における接続関係を示す接続関係テーブルとに基づいて、前記火災発生情報により特定される前記火災発生場所の住戸制御機よりも上流方向に接続されている一の住戸制御機の前記切断情報生成部が前記切断情報を生成し、
前記通信障害検知部により前記通信障害の発生が検知された場合、前記切断情報記憶部に前記切断情報が記憶されている住戸制御機の前記配線切断部が、前記渡り配線にて接続されている隣の住戸制御機との間の配線を切断することを特徴とする住戸監視システム。
【発明の詳細な説明】
【技術分野】
【０００１】
本発明は、住戸監視システムに関し、特に、複数の住戸を有する集合住宅の各住戸における火災の発生を監視センターにて監視する住戸監視システムに関するものである。
【背景技術】
【０００２】
従来、住戸監視システムでは、各住戸内の火災を監視している。例えば、住戸監視システムにおいて、住戸内の火災の発生を検知すると、その火災の発生を示す情報が監視センターの監視装置に伝送され、監視センターに常駐する管理者へ報知される。
【０００３】
ここで、従来の住戸監視システムの構成例について説明する。図７は、従来の住戸監視システム１０の構成例を示す図である。図７において、住戸監視システム１０では、火災報知機（図示せず）を接続した住戸制御機６０，８０，１００が各住戸に設置されている。緊急通報親機２０と緊急通報制御機４０とは通信接続されている。また、緊急通報制御機４０および住戸制御機６０，８０，１００は、通信線１２０を用いて渡り配線式（数珠繋ぎ）で接続されている。
【０００４】
緊急通報親機２０は、監視センターに設置され、例えば、住戸制御機６０，８０，１００の何れかから緊急通報制御機４０を介して火災発生の通知があった場合、火災が発生した住戸の場所を設定して警報を出力する。
【０００５】
図８は、図７にて示した住戸制御機６０，８０，１００およびその間をつなぐ通信線１２０の構成例を示す図である。図８に示すように、通信線１２０は、ペア線で構成されている。住戸制御機６０は、通信線１２０の端点３００，３２０に接続されている。住戸制御機８０は、通信線１２０の端点３４０，３６０に接続されている。住戸制御機１００は、通信線１２０の端点３８０，４００に接続されている。以上のように配線することによって、緊急通報制御機４０および各住戸制御機６０，８０，１００は、通信線１２０を用いて渡り配線式で接続されている。
【０００６】
各住戸制御機６０，８０，１００は、通信ドライバ回路２００およびＣＰＵ２２０をそれぞれ備えている。通信ドライバ回路２００は、火災が発生した場所（住戸）等を示す情報を含めた火災発生情報を緊急通報制御機４０に送信する。緊急通報制御機４０は、通信ドライバ回路２００から送信された火災発生情報を受信し、その受信した火災発生情報を緊急通報親機２０に送信する。緊急通報親機２０は、緊急通報制御機４０から送信された火災発生情報を参照することによって、どこの住戸（住戸制御機）で火災が発生したかを特定することができる。ＣＰＵ２２０は、通信ドライバ回路２００の制御を行う。
【０００７】
なお、図７のシステムのように、集合住宅の各住戸とセンター監視装置とを通信回線にて接続し、各住戸を監視するようにしたシステムは、例えば特許文献１にも開示されている。この特許文献１では、通信回線を介して集合住宅と接続されたセンター監視装置において、各住戸からセンター監視装置までの伝送路における通信状態が分かるようにし、システムの信頼性を向上できるようにしている。
【特許文献１】特開平９−２６１３７４号公報
【０００８】
また、住戸内において、電化製品の火災による損害を最小限に抑える技術が提案されている（例えば、特許文献２を参照）。具体的には、電化製品のケーブルが加熱して、そのケーブルの被覆から発生する塩化水素ガスをセンサにて検知し、その検知結果から塩化水素ガスが所定値以上の濃度であれば、配電盤のブレーカを切るようにしている。
【特許文献２】特開平７−３９５９９号公報
【発明の開示】
【発明が解決しようとする課題】
【０００９】
ところで、住戸制御機が渡り配線式に接続されている図７のような住戸監視システムを導入した集合住宅において、ある住戸で火災が発生してその住戸に設置された住戸制御機が燃えるなどして、その燃えた住戸制御機に接続された通信線１２０が短絡してしまうと、緊急通報制御機４０および渡り線式に接続されている住戸制御機６０，８０，１００の全てが通信不能となってしまう問題があった。このことを図を用いて説明する。
【００１０】
図８を用いて説明した住戸監視システム１０において、ある住戸で火災が発生してその住戸の住戸制御機１００が燃えてしまうと、その燃えた住戸制御機１００に接続された通信線１２０の一部が燃えて、通信線１２０の端点３８０と端点４００とが短絡してしまうことがある。この場合、短絡した部分に主に電流が流れる配線となってしまうことにより、緊急通報制御機４０および住戸制御機６０，８０，１００の全ての通信が不能となってしまう。このように、各住戸の住戸制御機６０，８０，１００が渡り線式に接続されている場合、ある住戸で火災が発生すると、その火災が発生した住戸に設置された住戸制御機だけでなく、それ以外の住戸制御機においても通信障害が発生してしまうことがあるという問題があった。
【００１１】
本発明は、このような問題を解決するために成されたものであり、監視装置および複数の住戸に設置された住戸制御機が渡り配線式に接続されている場合、ある住戸で火災が発生したときに、監視装置および住戸制御機の全ての通信が不能となることを回避することを目的とする。
【課題を解決するための手段】
【００１２】
上記した課題を解決するために、本発明では、複数の住戸制御機および監視装置が渡り配線にて接続されている住戸監視システムにおいて、住戸制御機の通信障害検知部が監視装置との間における通信障害の発生を検知した場合、火災発生場所の住戸制御機よりも上流方向（火災が発生した住戸の住戸制御機に対して渡り配線において監視装置が接続されている方向）に接続されている住戸制御機の配線切断部が、渡り配線にて接続されている隣の住戸制御機との間の配線を切断するようにしている。
【発明の効果】
【００１３】
上記のように構成した本発明によれば、住戸制御機にて監視装置との間の通信障害の発生が検知されたとき、火災発生場所の住戸制御機よりも上流方向に接続されている住戸制御機において隣の住戸制御機との間の配線が切断される。このため、火災が発生した住戸に設置された住戸制御機が燃えるなどして、その燃えた住戸制御機に接続された通信線が短絡してしまったとしても、その短絡の影響（通信障害の発生）が、配線が切断されたところよりも上流方向に接続されている住戸制御機に及ぶことを防止することができる。よって、監視装置および複数の住戸に設置された住戸制御機が渡り配線式に接続されている場合、ある住戸で火災が発生したときに、監視装置および住戸制御機の全ての通信が不能となることを回避することができる。
【発明を実施するための最良の形態】
【００１４】
以下、本発明の第１の実施形態を図面に基づいて説明する。図１は、本実施形態による住戸監視システム５００の機能構成例を示す図である。
【００１５】
図１において、本実施形態の住戸監視システム５００は、緊急通報親機５２０、緊急通報制御機５４０（本発明の監視装置に相当）および住戸制御機５６０，５８０，６００を備えて構成されている。緊急通報親機５２０と緊急通報制御機５４０とは、有線の通信回線を介して接続される。また、住戸制御機５６０，５８０，６００と緊急通報制御機５４０とは、有線の通信線８６０を介して渡り配線式で接続されている。なお、第１の実施形態では複数の住戸を有する集合住宅に設けられる住戸監視システム５００を例にとって説明するが、住戸監視システム５００は、複数の住戸を有する場所であって各住戸の火災発生を監視することが必要な場所であれば、何れの場所に設けられても良い。
【００１６】
次に、住戸制御機５６０、５８０、６００の機能構成について説明する。住居制御機５６０，５８０，６００は、火災検知部６２０、火災発生情報送信部６４０、切断情報受信部６６０、記憶制御部６８０、切断情報記憶部７００、通信障害検知部７２０および配線切断部７４０を備えて構成されている。
【００１７】
火災検知部６２０は、住戸内の随所（例えば各部屋の天井や壁面）に設置されている火災報知器（図示せず）より入力される火災検知信号に基づいて住戸内の火災の発生を検知する。火災報知器は、例えば火災により生じる煙や熱を感知することにより、周囲に警報音を発生させるとともに火災検知信号を火災検知部６２０に出力する。
【００１８】
火災発生情報送信部６４０は、火災検知部６２０により住戸内の火災の発生が検知された場合、当該住戸内の火災の発生を知らせる火災発生情報を緊急通報制御機５４０に送信する処理を行う。ここで、火災発生情報には、例えば、火災が発生した住戸に設置された住戸制御機を特定する火災発生住戸制御機ＩＤ情報および火災が発生した日時を示す火災発生日時情報などが含まれる。
【００１９】
第１の実施形態では、火災発生情報送信部６４０は、自己の住戸制御機に対して緊急通報制御機５４０が接続されている方向（以下、これを上流方向とする）とは逆方向（以下、これを下流方向とする）に接続されている他の住戸制御機の火災発生情報送信部６４０から送信された火災発生情報を、上流方向に接続されている住戸制御機または緊急通報制御機５４０に転送する処理は行わない。すなわち、第１の実施形態では、各住戸制御機５６０，５８０，６００は、図２を用いて後述する各住戸制御機のハードウェア構成から、自己の住戸制御機に対して上流方向に接続されている他の住戸制御機を経由させずに火災発生情報を緊急通報制御機５４０に送信することができる。
【００２０】
切断情報受信部６６０は、緊急通報制御機５４０から送信された自己宛の切断情報を受信する。ここで、切断情報は、当該切断情報を受信する対象の住戸制御機を特定する住戸制御機ＩＤ情報と、その住戸制御機に対して１つ下流方向に接続されている他の住戸制御機（以下、「切断対象の住戸制御機」と称する）との物理的な配線接続を切断する必要性を示す情報とを含む。切断情報受信部６６０は、切断情報に含まれる住戸制御機ＩＤ情報を確認することによって、緊急通報制御機５４０から送信された切断情報が自己宛のものであるかを判断することができる。なお、切断対象の住戸制御機は、火災が発生した住戸に備えられた住戸制御機である。見方を変えて説明すると、切断情報を受信する住戸制御機は、火災が発生した住戸の住戸制御機より１つ上流方向の住戸制御機ということである。
【００２１】
第１の実施形態では、住戸制御機５６０の切断情報受信部６６０は、住戸制御機５８０を備えた住戸で火災が発生した場合に、当該住戸制御機５８０との物理的な配線接続を切断する必要性を示す切断情報を緊急通報制御機５４０から自己宛のものとして受信する。また、住戸制御機５８０の切断情報受信部６６０は、住戸制御機６００を備えた住戸で火災が発生した場合に、当該住戸制御機６００との物理的な配線接続を切断する必要性を示す切断情報を緊急通報制御機５４０から自己宛のものとして受信する。なお、渡り配線の末端に接続された住戸制御機６００の切断対象受信部６６０は、住戸制御機６００の接続構成から切断対象の住戸制御機が存在しないため、切断情報を緊急通報制御機５４０から自己宛のものとして受信することはない。
【００２２】
記憶制御部６８０は、切断情報受信部６６０により自己宛のものとして切断情報が受信された場合、当該切断情報を切断情報記憶部７００に記憶させる。通信障害検知部７２０は、自己の住戸制御機と緊急通報制御機５４０との間の通信障害の発生を検知する。具体的には、通信障害検知部７２０は、緊急通報制御機５４０に対して疎通確認用データを一定時間（例えば、３０秒）間隔毎に送信している。もし、通信障害検知部７２０が疎通確認用データを送信してから所定時間（例えば、１秒）内に緊急通報制御機５４０から応答データの返信があれば、通信障害検知部７２０は、緊急通報制御機５４０との通信障害は発生していないと判断する。一方、通信障害検知部７２０が疎通確認用データを送信してから所定時間内に緊急通報制御機５４０から応答データの返信がなければ、通信障害検知部７２０は、緊急通報制御機５４０との通信障害が発生していると判断する。
【００２３】
配線切断部７４０は、通信障害検知部７２０により通信障害の発生が検知された場合、切断情報記憶部７００に切断情報が記憶されているか否かを判定する。もし、切断情報記憶部７００に切断情報が記憶されている場合、配線切断部７４０は、切断対象の住戸制御機（１つ下流方向で、火災の発生を検知した住戸制御機）との物理的な配線接続を切断する。なお、切断対象の住戸制御機との物理的な配線接続を切断する具体的な方法については後述する。一方、切断情報記憶部７００に切断情報が記憶されていない場合、配線切断部７２０は何もしない。ここで、配線切断部７２０は、周囲に対して自己の住戸制御機と緊急通報制御機５４０との通信障害の発生を報知するために例えば警報音を発生しても良い。
【００２４】
第１の実施形態では、住戸制御機５６０の配線切断部７４０は、切断情報記憶部７００に切断情報が記憶されている場合、１つ下流方向に接続されている切断対象の住戸制御機５８０との物理的な配線接続を切断する。また、住戸制御機５８０の配線切断部７４０は、切断情報記憶部７００に切断情報が記憶されている場合、１つ下流方向に接続されている切断対象の住戸制御機６００との物理的な配線接続を切断する。なお、住戸制御機６００の配線切断部７４０は、住戸制御機６００の接続構成からそれより下流方向に切断対象の住戸制御機が存在しないため、切断処理を行わない。
【００２５】
次に、緊急通報制御機５４０の機能構成について説明する。緊急通報制御機５４０は、火災発生情報受信部７６０、火災発生情報送信部７８０および切断情報送信部８００を備えて構成されている。火災発生情報受信部７６０は、住戸制御機５６０，５８０，６００の火災発生情報送信部６４０から送信された火災発生情報を受信する。火災発生情報送信部７８０は、火災発生情報受信部７６０により火災発生情報が受信された場合、当該火災発生情報を緊急通報親機５２０に送信する。
【００２６】
切断情報送信部８００は、火災発生情報受信部７６０により火災発生情報が受信された場合、当該火災発生情報により特定される住戸制御機よりも１つ上流方向に接続されている住戸制御機に切断情報を送信する。切断情報送信部８００は、各住戸制御機５６０，５８０，６００の渡り配線における接続関係を表した接続関係テーブルを有している。この接続関係テーブルは、例えば、各住戸制御機５６０，５８０，６００の渡り配線上での並び順を住戸制御機ＩＤによって示したものである。切断情報送信部８００は、この接続関係テーブルを参照することで、火災発生情報に含まれる火災発生住戸制御機ＩＤ情報により特定される住戸制御機（火災が発生した場所）よりも１つ上流方向に接続されている住戸制御機の住戸制御機ＩＤ情報を特定することができる。切断情報送信部８００は、その特定した住戸制御機ＩＤ情報を含む切断情報を送信する。
【００２７】
第１の実施形態では、住戸制御機６００の火災発生情報送信部６４０が火災発生情報を送信した場合、切断情報送信部８００は、住戸制御機６００よりも１つ上流方向に接続されている住戸制御機５８０に切断情報を送信する。また、住戸制御機５８０の火災発生情報送信部６４０が火災発生情報を送信した場合、切断情報送信部８００は、住戸制御機５８０よりも１つ上流方向に接続されている住戸制御機５６０に切断情報を送信する。なお、住戸制御機５６０の火災発生情報送信部６４０が火災発生情報を送信した場合、切断情報送信部８００は、住戸制御機５６０の接続構成からそれより上流方向に接続されている住戸制御機が存在しないため、切断情報を送信することはない。
【００２８】
次に、緊急通報親機５２０の機能構成について説明する。緊急通報親機５２０は、火災発生情報受信部８２０および報知部８４０を備えて構成されている。火災発生情報受信部８２０は、緊急通報制御機５４０の火災発生情報送信部７８０から送信された火災発生情報を受信する。
【００２９】
報知部８４０は、火災発生情報受信部８２０により火災発生情報が受信された場合、受信された火災発生情報に基づいて、火災が発生した住戸（火災発生住戸制御機ＩＤ情報から特定される）および日時（火災発生日時情報から特定される）などを示す情報を報知する。第１の実施形態では、報知部８４０は、例えば、緊急通報親機５２０に設けられたスピーカ（図示せず）から火災が発生した住戸および日時を報知するための警告音または警告音声を出力する。また、報知部８４０は、緊急通報親機５２０に設けられた表示部（図示せず）に対して火災が発生した住戸および日時を報知するための警告メッセージを出力する。報知部８４０による報知を受けて、緊急通報親機５２０の周囲にいる管理者は、報知の内容を確認したり、火災があった住戸の居住者へ電話で詳しい状況を確認したりすることができる。
【００３０】
次に、住戸監視システム５００における住戸制御機５６０、５８０の切断動作例について説明する。なお、第１の実施形態では、住戸制御機６００は、その接続構成から切断対象の住戸制御機が存在しないため、切断動作を行わない。図２は、図１中に示される住戸制御機５６０，５８０，６００のハードウェア構成例を示す図である。図２に示すように、住戸制御機５６０，５８０，６００は、ペア線の通信線８６０を介して渡り配線式で接続されている。
【００３１】
住戸制御機５６０，５８０，６００の内部では、通信線８６０に通信コネクタ（図示せず）を介して接続された内部配線が配線されている。住戸制御機５６０の内部では、端点９２０で分岐した一方の内部配線がスイッチＳＷ１に接続され、端点９２０で分岐した他方の内部配線が通信回路９００に接続されている。住戸制御機５８０の内部では、端点９４０で分岐した一方の内部配線がスイッチＳＷ２に接続され、端点９４０で分岐した他方の内部配線が通信回路９００に接続されている。住戸制御機６００の内部では、端点９６０で分岐した一方の内部配線がスイッチＳＷ３に接続され、端点９６０で分岐した他方の内部配線が通信回路９００に接続されている。
【００３２】
第１の実施形態では、住戸制御機５６０，５８０，６００は、オン／オフ切り替え可能なスイッチＳＷ１，ＳＷ２，ＳＷ３、ＣＰＵ８８０、通信回路９００およびメモリ９１０を備えて構成されている。住戸制御機５６０，５８０，６００のＣＰＵ８８０は、上述した火災検知部６２０、記憶制御部６８０および配線切断部７４０の機能を有している。特に、住戸制御機５６０，５８０，６００のＣＰＵ８８０（配線切断部７４０）は、スイッチＳＷ１，ＳＷ２，ＳＷ３のオン／オフをそれぞれ切り替え制御する機能を有している。なお、ＣＰＵ８８０（配線切断部７４０）は、各住戸で火災が発生していない場合、内部配線に設けられたスイッチＳＷ１，ＳＷ２，ＳＷ３をオンとしている。
【００３３】
住戸制御機５６０，５８０，６００の通信回路９００は、上述した火災発生情報送信部６４０、切断情報受信部６６０および通信障害検知部７２０の機能を有している。住戸制御機５６０，５８０，６００のメモリ９１０は、上述した切断情報記憶部７００の機能を有している。
【００３４】
まず、住戸監視システム５００における住戸制御機５６０の切断動作例について説明する。もし、住戸制御機５８０のＣＰＵ８８０（火災検知部６２０）にて火災の発生を検知した場合、住戸制御機５８０の通信回路９００（火災発生情報送信部６４０）は、火災発生情報を緊急通報制御機５４０に送信する。次に、住戸制御機５８０より１つ上流方向に接続されている住戸制御機５６０の通信回路９００（切断情報受信部６６０）は、切断対象の住戸制御機５８０との物理的な配線接続を切断する必要性を示す切断情報を緊急通報制御機５４０から受信する。次に、住戸制御機５６０のＣＰＵ８８０（記憶制御部６８０）は、通信回路９００（切断情報受信部６６０）により受信された切断情報を内部メモリ９１０（切断情報記憶部７００）に記憶させる。
【００３５】
その後、住戸制御機５６０のＣＰＵ８８０（通信障害検知部７２０）が緊急通報制御機５４０との通信障害の発生を検知した場合、住戸制御機５６０のＣＰＵ８８０（配線切断部７４０）は、内部メモリ９１０に切断情報が記憶されていることを確認して、スイッチＳＷ１をオンからオフに切り替えることによって、切断対象の住戸制御機５８０との物理的な配線接続を切断する。
【００３６】
なお、住戸制御機５６０にて通信障害が発生しているのは、火災発生を検知した住戸制御機５８０が燃えるなどして、これに接続された通信線８６０が短絡している場合である。よって、住戸制御機６００においても通信障害が発生している。しかし、住戸制御機６００の内部メモリ９１０には切断情報が記憶されていないので、スイッチＳＷ３がオンからオフに切り替えられることはない。
【００３７】
次に、住戸監視システム５００における住戸制御機５８０の切断動作例について説明する。もし、住戸制御機６００のＣＰＵ８８０（火災検知部６２０）にて火災の発生を検知した場合、住戸制御機６００の通信回路９００（火災発生情報送信部６４０）は、火災発生情報を緊急通報制御機５４０に送信する。次に、住戸制御機６００より１つ上流方向に接続されている住戸制御機５８０の通信回路９００（切断情報受信部６６０）は、切断対象の住戸制御機６００との物理的な配線接続を切断する必要性を示す切断情報を緊急通報制御機５４０から受信する。次に、住戸制御機５８０のＣＰＵ８８０（記憶制御部６８０）は、通信回路９００（切断情報受信部６６０）により受信された切断情報を内部メモリ９１０（切断情報記憶部７００）に記憶させる。
【００３８】
その後、住戸制御機５８０のＣＰＵ８８０（通信障害検知部７２０）が住戸制御機５８０の通信回路９００により緊急通報制御機５４０との通信障害の発生を検知した場合、住戸制御機５８０のＣＰＵ８８０（配線切断部７４０）は、住戸制御機５８０の内部メモリ９１０に切断情報が記憶されていることを確認して、スイッチＳＷ２をオンからオフに切り替えることによって、切断対象の住戸制御機６００との物理的な配線接続を切断する。
【００３９】
なお、住戸制御機５８０にて通信障害が発生しているのは、火災発生を検知した住戸制御機６００が燃えるなどして、これに接続された通信線８６０が短絡している場合である。よって、住戸制御機５６０においても通信障害が発生している。しかし、住戸制御機５６０の内部メモリ９１０には切断情報が記憶されていないので、スイッチＳＷ１がオンからオフに切り替えられることはない。
【００４０】
次に、第１の実施形態における住戸監視システム５００の動作の詳細について図を用いて説明する。図３は、例えば、住戸制御機６００が設置されている住戸で火災が発生した場合、住戸制御機６００より１つ上流方向に接続されている住戸制御機５８０が緊急通報制御機５４０から切断情報を受信するときにおける住戸監視システム５００の動作例を示すフローチャートである。図３におけるステップＳ１００の処理は、火災が発生した住戸に設置された住戸制御機６００の火災検知部６２０が火災報知器より火災検知信号を入力することによって開始する。
【００４１】
まず、住戸制御機６００の火災検知部６２０は、火災報知器より入力される火災検知信号に基づいて火災の発生を検知する（ステップＳ１００）。次に、住戸制御機６００の火災発生情報送信部６４０は、住戸制御機６００を備える住戸内における火災の発生を知らせる火災発生情報を、通信線８６０と住戸制御機５８０および住戸制御機５６０の内部配線とを介して緊急通報制御機５４０に送信する（ステップＳ１２０）。緊急通報制御機５４０の火災発生情報受信部７６０は、住戸制御機６００の火災発生情報送信部６４０から送信された火災発生情報を受信する。
【００４２】
次に、緊急通報制御機５４０の火災発生情報送信部７８０は、火災発生情報受信部７６０により受信された火災発生情報を緊急通報親機５２０に送信する（ステップＳ１４０）。緊急通報親機５２０の火災発生情報受信部８２０は、緊急通報制御機５４０の火災発生情報送信部７８０から送信された火災発生情報を受信する。次に、緊急通報親機５２０の報知部８４０は、火災発生情報受信部８２０により受信された火災発生情報に基づいて、火災が発生した住戸および日時などを示す情報を報知する（ステップＳ１６０）。
【００４３】
次に、緊急通報制御機５４０の切断情報送信部８００は、火災発生情報受信部７６０により受信された火災発生情報により特定される住戸制御機６００よりも１つ上流方向に接続されている住戸制御機５８０に切断情報を送信する（ステップＳ１８０）。住戸制御機５８０の切断情報受信部６６０は、緊急通報制御機５４０から送信された自己宛の切断情報を受信する。次に、住戸制御機５８０の記憶制御部６８０は、切断情報受信部６６０により自己宛のものとして受信された切断情報を切断情報記憶部７００に記憶させる（ステップＳ２００）。ステップＳ２００における処理が終了した後、住戸監視システム５００における処理は終了する。
【００４４】
図４は、住戸で火災が発生したか否かに関わらず、図３に示した住戸監視システム５００の各住戸制御機が一定時間間隔毎に実行する動作の例を示すフローチャートである。図４におけるステップＳ２２０の処理は、ＣＰＵ８８０（配線切断部７４０）から通信回路９００（通信障害検知部７２０）に通信障害を検知する要求を表す信号が入力することによって開始する。
【００４５】
まず、通信障害検知部７２０は、緊急通報制御機５４０との通信障害が発生したか否かについて判定する（ステップＳ２２０）。もし、通信障害が発生していないと通信障害検知部７２０にて判定した場合（ステップＳ２２０にてＮＯ）、ステップＳ２２０の処理を繰り返す。一方、通信障害が発生したと通信障害検知部７２０にて判定した場合（ステップＳ２２０にてＹＥＳ）、配線切断部７４０は、切断情報記憶部７００に切断情報が記憶されているか否かを判定する（ステップＳ２４０）。
【００４６】
もし、切断情報記憶部７００に切断情報が記憶されていないと配線切断部７４０にて判定した場合（ステップＳ２４０にてＮＯ）、配線切断部７４０は何もしない。これにより、住戸監視システム５００における処理は終了する。一方、切断情報記憶部７００に切断情報が記憶されていると配線切断部７４０にて判定した場合（ステップＳ２４０にてＹＥＳ）、配線切断部７４０は、切断対象の住戸制御機との物理的な配線接続を切断する（ステップＳ２６０）。ステップＳ２６０における切断処理が終了した後、住戸監視システム５００における処理は終了する。
【００４７】
なお、図４で説明した住戸制御機６００が設置されている住戸で火災が発生した場合であって、その後通信線８６０が短絡したときには、ステップＳ２２０において、各住戸制御機の通信障害検知部７２０により通信障害の発生が検知される。そして、ステップＳ２４０において、切断情報記憶部７００（内部メモリ９１０）に切断情報が記憶されている住戸制御機５８０（住戸制御機６００より１つ上流方向に接続されている）だけがスイッチＳＷ２をオンからオフに切り替えることによって、切断対象の住戸制御機６００との物理的な配線接続を切断する。しかし、住戸制御機５６０の切断情報記憶部７００（内部メモリ９１０）には切断情報が記憶されていないので、住戸制御機５６０は、スイッチＳＷ１をオンからオフに切り替えることはない。
【００４８】
以上詳しく説明したように、第１の実施形態では、ある住戸で火災が発生して通信線８６０が短絡した場合、火災の発生を検知した住戸制御機とそれより１つ上流方向に接続されている住戸制御機との物理的な配線接続が切断される。このため、火災の発生による通信線８６０の短絡の影響（通信障害の発生）が、火災の発生を検知した住戸制御機よりも上流方向に接続されている住戸制御機に及ぶことを防止することができる。よって、緊急通報制御機５４０および複数の住戸制御機５６０，５８０，６００が渡り配線式に接続されている住戸監視システム５００において、緊急通報制御機５４０および住戸制御機５６０，５８０，６００の全ての通信が不能となることを回避することができる。
【００４９】
例えば、住戸制御機６００が設置された住戸で火災が発生して通信線８６０が短絡した場合、火災の発生を検知した住戸制御機６００とそれより１つ上流方向に接続されている住戸制御機５８０との物理的な配線接続が切断されるため、火災の発生による通信線８６０の短絡の影響（通信障害の発生）が、火災の発生を検知した住戸制御機６００よりも上流方向に接続されている住戸制御機５６０，５８０に及ぶことを防止することができる。
【００５０】
また、住戸制御機５８０が設置された住戸で火災が発生して通信線８６０が短絡した場合、火災の発生を検知した住戸制御機５８０とそれより１つ上流方向に接続されている住戸制御機５６０との物理的な配線接続が切断されるため、火災の発生による通信線８６０の短絡の影響（通信障害の発生）が、火災の発生を検知した住戸制御機５８０よりも上流方向に接続されている住戸制御機５６０に及ぶことを防止することができる。よって、緊急通報制御機５４０および住戸制御機５６０，５８０，６００の全ての通信が不能となることを回避することができる。
【００５１】
次に、本発明の第２の実施形態を図面に基づいて説明する。図５は、第２の実施形態による住戸監視システム５００の機能構成例を示すブロック図である。なお、この図５において、図１に示した符号と同一の符号を付したものは同一の機能を有するものであるので、ここでは重複する説明を省略する。
【００５２】
第２の実施形態において、住戸監視システム５００における住戸制御機５６０，５８０，６００は、図１の火災発生情報送信部６４０の代わりに火災発生情報送信部６４０′を備えている。また、住戸制御機５６０，５８０，６００は、図１の切断情報受信部６６０の代わりに火災発生情報受信部６７０および切断情報生成部６７５を備えている。また、住戸制御機５６０，５８０，６００は、図１の記憶制御部６８０の代わりに記憶制御部６８０′を備えている。なお、緊急通報制御機５４０は、図１の切断情報送信部８００を備えていない。
【００５３】
火災発生情報送信部６４０′は、自己の住戸制御機の火災検知部６２０により住戸内の火災の発生が検知された場合、当該住戸内の火災の発生を知らせる火災発生情報を自己の住戸制御機より１つ上流方向に接続されている住戸制御機または緊急通報制御機５４０に送信する処理を行う。また、火災発生情報送信部６４０′は、自己の住戸制御機で火災発生を検知した場合に火災発生情報を自ら送信するだけでなく、下流方向から送られてきた火災発生情報を上流方向に転送する処理も行う。
【００５４】
例えば、住戸制御機６００の火災発生情報送信部６４０′は、自己の住戸制御機６００より１つ上流方向に接続されている住戸制御機５８０に火災発生情報を送信する処理を行う。また、住戸制御機５８０の火災発生情報送信部６４０′は、自己の住戸制御機５８０より１つ上流方向に接続されている住戸制御機５６０に火災発生情報を送信（または転送）する処理を行う。なお、住戸制御機５６０の火災発生情報送信部６４０′は、自己の住戸制御機５６０より１つ上流方向に接続されている緊急通報制御機５４０に火災発生情報を送信（または転送）する。
【００５５】
火災発生情報受信部６７０は、１つ下流方向に接続されている住戸制御機から送信された火災発生情報を受信する。火災発生情報受信部６７０は、１つ下流方向の住戸制御機から火災発生情報を受信した場合、その火災発生情報を火災発生情報送信部６４０’に供給する。これを受けて、火災発生情報送信部６４０’は、火災発生情報受信部６７０から渡された火災発生情報を１つ上流方向に接続されている住戸制御機または緊急通報制御機５４０に転送する。
【００５６】
火災発生情報受信部６７０は、下流の住戸制御機から火災発生情報を受信した場合、１つ下流方向に接続されている住戸制御機が火災発生場所のものであるかを判定し、そうである場合のみ、切断情報生成部６７５に切断情報生成要求を供給する。この判定を行うために、火災発生情報受信部６７０は、各住戸制御機５６０，５８０，６００の渡り配線における接続関係を表した接続関係テーブルを有している。この接続関係テーブルは、例えば、各住戸制御機５６０，５８０，６００の渡り配線上での並び順を住戸制御機ＩＤ情報によって示したものである。また、この接続関係テーブルは、どのＩＤが自己のものであるかを示す情報を含んでいる。火災発生情報受信部６７０は、この接続関係テーブルおよび下流から送られてきた火災発生情報に含まれる火災発生住戸制御機ＩＤ情報を確認することによって、自分より１つ下流の住戸制御機が火災発生場所のものであるか（自分が火災発生場所より１つ上流か否か）を判断することができる。
【００５７】
切断情報生成部６７５は、火災発生情報受信部６７０から切断情報生成要求を受け取った場合、１つ下流方向に接続されている住戸制御機との物理的な配線接続を切断する必要性を示す切断情報（第１の実施形態の切断情報と同じ）を生成する。
【００５８】
第２の実施形態では、住戸制御機５６０の切断情報生成部６７５は、火災発生情報受信部６７０から切断情報生成要求を受け取った場合、１つ下流方向に接続されている住戸制御機５８０との物理的な配線接続を切断する必要性を示す切断情報を生成する。また、住戸制御機５８０の切断情報生成部６７５は、火災発生情報受信部６７０から切断情報生成要求を受け取った場合、１つ下流方向に接続されている住戸制御機５８０との物理的な配線接続を切断する必要性を示す切断情報を生成する。なお、渡り配線の末端に接続された住戸制御機６００の切断情報生成部６７５は、火災発生情報受信部６７０から切断情報生成要求を受け取ることがないため、切断情報を生成することはない。
【００５９】
記憶制御部６８０′は、切断情報生成部６７０により切断情報が生成された場合、当該切断情報を切断情報記憶部７００に記憶させる。第２の実施形態では、住戸制御機５６０，５８０の記憶制御部５８０′は、切断情報生成部６７０により切断情報が生成された場合、当該切断情報を切断情報記憶部７００に記憶させる。なお、住戸制御機６００の記憶制御部５８０′は、切断情報生成部６７０により切断情報が生成されることがないため、当該切断情報を切断情報記憶部７００に記憶させることはない。
【００６０】
次に、第２の実施形態における住戸監視システム５００の動作の詳細について図を用いて説明する。図６は、例えば、住戸制御機６００が設置されている住戸で火災が発生した場合、住戸制御機６００より１つ上流方向に接続されている住戸制御機５８０が住戸制御機６００から火災発生情報を受信するときにおける住戸監視システム５００の動作例を示すフローチャートである。図６におけるステップＳ４００の処理は、火災が発生した住戸に設置された住戸制御機６００の火災検知部６２０が火災報知器より火災検知信号を入力することによって開始する。
【００６１】
まず、住戸制御機６００の火災検知部６２０は、火災報知器より入力される火災検知信号に基づいて火災の発生を検知する（ステップＳ４００）。次に、住戸制御機６００の火災発生情報送信部６４０′は、住戸制御機６００を備える住戸内における火災の発生を知らせる火災発生情報を、住戸制御機６００に対して１つ上流方向に接続されている住戸制御機５８０に送信する（ステップＳ４２０）。住戸制御機５８０の火災発生情報受信部６７０は、住戸制御機６００から送信された火災発生情報を受信する。そして、住戸制御機５８０の火災発生情報受信部６７０で受信された火災発生情報は、住戸制御機５６０、緊急通報制御機５４０および緊急通報親機５２０に順次転送される。緊急通報制御機５２０の報知部８４０は、受信した火災発生情報に基づいて、火災が発生した住戸および日時などを示す情報を報知する（ステップＳ４４０）。
【００６２】
住戸制御機５６０，５８０の火災発生情報受信部６７０は、１つ下流方向に接続されている住戸制御機が火災発生場所のものであるかを判定し、そうである場合のみ切断情報生成要求を切断情報生成部６７５に供給する。ここでは、住戸制御機５８０の火災発生情報受信部６７０のみが、切断情報生成部６７５に切断情報生成要求を供給する。
【００６３】
これを受けて、住戸制御機５８０の切断情報生成部６７５は、１つ下流方向に接続されている住戸制御機６００との物理的な配線接続を切断する必要性を示す切断情報を生成する（ステップＳ４６０）。最後に、記憶制御部６８０′は、住戸制御機６７５により生成された切断情報を切断情報記憶部７００に記憶させる（ステップＳ４８０）。ステップＳ４８０における処理が終了した後、住戸監視システム５００における処理は終了する。なお、第２の実施形態において、住戸監視システム５００の住戸制御機５６０、５８０、６００が一定時間間隔毎に実行する動作は、第１の実施形態と同様であるので、ここでは説明を省略する。
【００６４】
以上詳しく説明したように、第２の実施形態では、緊急通報制御機５４０に切断情報送信部８００を備える必要がなくなり、住戸制御機５６０，５８０，６００の間だけでどこの住戸制御機との物理的な配線接続を切断すれば良いのかを特定することができる。よって、緊急通報制御機５４０から住戸制御機５６０，５８０，６００の方向へ切断情報を送信するための通信を省略することができる。
【００６５】
なお、第２の実施形態では、火災発生情報受信部６７０が接続関係テーブルを有する例について説明したが、切断情報生成部６７５が接続関係テーブルを有しても良い。この場合、火災発生情報受信部６７０は、１つ下流方向に接続されている住戸制御機から受信した火災発生情報を切断情報生成部６７５に供給する。
【００６６】
切断情報生成部６７５は、自身が有する接続関係テーブルおよび火災発生情報受信部６７０から受け取った火災発生情報に含まれる火災発生住戸制御機ＩＤ情報を確認することによって、自分より１つ下流の住戸制御機が火災発生場所のものであるかを判断する。切断情報生成部６７５は、自分より１つ下流の住戸制御機が火災発生場所のものであると判断した場合、１つ下流方向に接続されている住戸制御機（火災発生場所のもの）との物理的な配線接続を切断する必要性を示す切断情報を生成する。
【００６７】
また、第２の実施形態では、火災発生情報送信部６４０′が接続関係テーブルを有しても良い。この場合、火災発生情報送信部６４０′は、自身が有する接続関係テーブルおよび自身を表す火災発生住戸制御機ＩＤ情報を確認することによって、１つ上流方向に接続されている住戸制御機のＩＤ情報を含んだ火災発生情報を生成して送信する。火災発生場所より上流側の住戸制御機が備える火災発生情報受信部６７０は、自己宛かどうかを判定して、自己宛の場合にのみ受信する。そして、火災発生情報の受信した後に、火災発生情報受信部６７０は、切断情報生成要求を切断情報生成部６７５に供給する。記憶制御部６８０′は、切断情報生成部６７０により切断情報が生成された場合、当該切断情報を切断情報記憶部７００に記憶させる。
【００６８】
なお、第１および第２の実施形態において、住戸制御機の内部配線上に設けたスイッチＳＷ１，ＳＷ２，ＳＷ３はオン／オフの切り替え制御を行うことが可能なものであれば何でも良い。例えば、ヒューズをスイッチＳＷ１，ＳＷ２，ＳＷ３として用い、当該ヒューズに意図的に過電流を流す（すなわち、ヒューズを溶断させて通信不能にする）ことでオン／オフの切り替え制御を行うようにしても良い。
【００６９】
また、第１および第２の実施形態では、緊急通報制御機５４０と３つの住戸制御機５６０，５８０，６００が渡り配線式で接続される構成について説明したが、緊急通報制御機５４０と４つ以上の住戸制御機が渡り配線式で接続される構成にしても良い。
【００７０】
また、上記第１および第２実施形態では、図２において、端点９２０，９４０，９６０で分岐した先の内部配線上にスイッチＳＷ１，ＳＷ２，ＳＷ３を設けた例について説明したが、端点９２０，９４０，９６０で分岐する前の内部配線上にスイッチＳＷ１，ＳＷ２，ＳＷ３を設けるようにしても良い。ただし、分岐した先で切断する方が、切断動作を行う自己の住戸制御機も含めて通信可能状態を維持できる点でより好ましい。
【００７１】
また、上記第１および第２実施形態では、火災の発生を検知した住戸制御機に対して１つ上流方向に接続されている住戸制御機で切断動作を行う例について説明したが、２つ以上上流方向に接続されている住戸制御機で切断動作を行うようにしても良い。ただし、１つだけ上流方向に接続されている住戸制御機で切断動作を行う方が、火災の発生による通信線８６０の短絡の影響を最小限に抑えることができる点でより好ましい。
【００７２】
また、上記第１および第２実施形態では、緊急通報親機５２０が火災の発生を検知した住戸制御機（火災発生住戸制御機）から送信された火災発生情報に基づいて、火災が発生した住戸および日時などを示す情報を報知する例について説明したが、これに限定されない。例えば、各住戸制御機５６０，５８０，６００が火災発生情報受信部６７０を備える第２の実施形態の変形例として、当該火災発生住戸制御機に対して上流方向に接続されている住戸制御機が火災発生住戸制御機から送信された火災発生情報に基づいて、火災が発生した住戸および日時などを示す情報をそれぞれ報知するようにしても良い。
【００７３】
その他、上記第１および第２実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００７４】
【図１】第１の実施形態による住戸監視システムの機能構成例を示す図である。
【図２】第１の実施形態による住戸制御機のハードウェア構成例を示すブロック図である。
【図３】第１の実施形態による住戸監視システムの火災発生時の動作例を示すフローチャートである。
【図４】第１の実施形態による住戸監視システムの各住戸制御機の動作例を示すフローチャートである。
【図５】第２の実施形態による住戸監視システムの機能構成例を示す図である。
【図６】第２の実施形態による住戸監視システムの火災発生時の動作例を示すフローチャートである。
【図７】従来の住戸監視システムの構成例を示す図である。
【図８】従来の住戸制御機のハードウェア構成例を示す図である。
【符号の説明】
【００７５】
５００  住戸監視システム
５４０  緊急通報制御機
５６０，５８０，６００  住戸制御機
６２０  火災検知部
６４０，６４０′  火災発生情報送信部
６６０  切断情報受信部
６７０  火災発生情報受信部
６７５  切断情報生成部
６８０  記憶制御部
７００  切断情報記憶部
７２０  通信障害検知部
７４０  配線切断部
７６０  火災発生情報受信部
８００  切断情報送信部
【図１】
0005016530.tif 000002
【図２】
0005016530.tif 000003
【図３】
0005016530.tif 000004
【図４】
0005016530.tif 000005
【図５】
0005016530.tif 000006
【図６】
0005016530.tif 000007
【図７】
0005016530.tif 000008
【図８】
0005016530.tif 000009